(57)【要約】【課題】燃焼ガスの顕熱と潜熱を利用した高熱効率の給湯機において、ドレン水に含まれる硝酸性窒素を除去することにより、より安全な水として排水し、あるいは浴槽水として安全に再利用することができる給湯機を提供する。【解決手段】２次熱交換器１７に結露したドレン水をイオン交換樹脂部２０に導き、イオン交換樹脂部２０で硝酸性窒素を除去する。さらに、このドレン水を中和槽２２に導いてドレン水を中和する。こうして処理されたドレン水は、浴槽５５のバスアダプター５６に接続された追い焚き回路へ排出し、追い焚き回路から浴槽５５内に排出する。【選択図】図１
2008121981.tif 000002
【特許請求の範囲】
【請求項１】
給湯機で発生したドレン水を脱窒処理するための給湯機用脱窒装置であって、
前記ドレン水中の不純物を除去するイオン交換樹脂部と、前記イオン交換樹脂部のイオン交換能を回復させるための溶液を供給する溶液供給部と、前記溶液供給部から前記イオン交換樹脂部へ前記溶液を供給するための溶液供給管に設けた開閉弁と、前記イオン交換樹脂部のイオン交換能低下を検知するイオン交換能検出部とを備え、前記イオン交換能検出部により前記イオン交換樹脂部のイオン交換能低下を検知したら前記開閉弁を開いて前記溶液供給部から前記イオン交換樹脂部へ前記溶液を供給するようにした給湯機用脱窒装置。
【請求項２】
前記イオン交換樹脂部で不純物を除去されたドレン水を中和処理する中和槽を備えた、請求項１に記載の給湯機用脱窒装置。
【請求項３】
前記イオン交換樹脂部は、ＯＨ型陰イオン交換樹脂によって構成されていることを特徴とする、請求項１に記載の給湯機用脱窒装置。
【請求項４】
燃焼ガスの上流側に配置された１次熱交換器と、
燃焼ガスの下流側に配置された２次熱交換器と、
前記２次熱交換器で発生したドレン水を集めるためのドレン受けと、
前記ドレン受けで集められたドレン水中の不純物を除去するイオン交換樹脂部と、
前記イオン交換樹脂部のイオン交換能を回復させるための溶液を供給する溶液供給部と、
前記溶液供給部から前記イオン交換樹脂部へ前記溶液を供給するための溶液供給管に設けた開閉弁と、
前記イオン交換樹脂部のイオン交換能低下を検知するイオン交換能検出部とを備え、
前記イオン交換能検出部により前記イオン交換樹脂部のイオン交換能低下を検知したら前記開閉弁を開いて前記溶液供給部から前記イオン交換樹脂部へ前記溶液を供給するようにした給湯機。
【請求項５】
処理済のドレン水を浴槽内へ排出するための配管路を備えた、請求項４に記載の給湯機。
【発明の詳細な説明】
【技術分野】
【０００１】
本発明は給湯機用脱窒装置及び給湯機に関する。具体的には、燃焼ガスの潜熱を利用して高い熱効率で水を加熱できるようにしたドレン水処理機能付きの給湯機と、当該給湯機で発生したドレン水から硝酸性窒素を除去するための給湯機用脱窒装置に関する。
【背景技術】
【０００２】
一般の給湯機は、顕熱を利用して水を加熱するだけであるが、燃焼ガス中の潜熱を回収することによって加熱効率を向上させるようにした高効率の給湯機（コンデンシング給湯機）が従来より知られている。このような給湯機は、１次熱交換器（主熱交換器）と２次熱交換器（補助熱交換器）を備え、１次熱交換器と２次熱交換器で水を加熱する。１次熱交換器では、そこを通過する水と燃焼ガスを熱交換させ顕熱により水を加熱している。２次熱交換器では、そこを通過する水と燃焼ガスを熱交換させて潜熱を利用して水を加熱している。従って、この給湯機によれば、燃焼ガスの顕熱だけでなく、その潜熱までも回収して高い効率で水を加熱することができる。
【０００３】
このような潜熱回収機能を備えた燃焼装置では、潜熱回収に伴って２次熱交換器に強酸性の酸性成分等を含んだドレン水（凝結水）が発生するので、ドレン水を中和処理してから外部へ排出する必要がある。そのため、一般には、このドレン水は、中和槽で中和処理した後に下水などに排水するようにしている。
【０００４】
また、すべてのドレン水を中和槽で中和処理しようとすると中和槽が大きくなるので、一部のドレン水は、水で希釈した上で温水と共に浴槽へ供給するようにしたものがある（特許文献１）。
【０００５】
また、中和槽で中和処理されたドレン水を下水などに排水するためには、給湯機と下水との間にドレン水排出用の配管を別途設置しなければならないので、施工手間が掛かる。そのため、中和処理したドレン水を追い焚き回路を通じて浴槽内に排出するようにし、ドレン水排出用の配管を不要にした給湯機もある（特許文献２）。
【０００６】
【特許文献１】特開平０６−２７２９６５号公報
【特許文献２】特開２００３−４２５６６号公報
【発明の開示】
【発明が解決しようとする課題】
【０００７】
しかしながら、２次熱交換器で発生するドレン水には、硝酸性窒素が含まれる。硝酸性窒素は、ヘモグロビン血症等の健康障害を引き起こすことが報告されているなど、人体や環境に有害な物質であり、これを除去してから排水することが望まれる。特に、ドレン水に何らかの処理を行なった後、浴槽内に送り込んで浴槽水として使用する場合には、硝酸性窒素を除去することが極めて望ましい。
【０００８】
これに対し、従来のコンデンシング給湯機では、強酸性のドレン水を中和処理するに止まり、硝酸性窒素については考慮していなかった。
【０００９】
本発明は、このような技術的課題に鑑みてなされたものであって、その目的とするところは、燃焼ガスの顕熱と潜熱を利用した高熱効率の給湯機において、ドレン水に含まれる硝酸性窒素等を除去することにより、より安全な水として排水し、あるいは浴槽水として安全に再利用することができる給湯機用脱窒装置及び給湯機を提供することにある。
【課題を解決するための手段】
【００１０】
このような目的を達成するために、本発明の請求項１にかかる給湯機用脱窒装置は、給湯機で発生したドレン水を脱窒処理するための給湯機用脱窒装置であって、前記ドレン水中の不純物を除去するイオン交換樹脂部と、前記イオン交換樹脂部のイオン交換能を回復させるための溶液を供給する溶液供給部と、前記溶液供給部から前記イオン交換樹脂部へ前記溶液を供給するための溶液供給管に設けた開閉弁と、前記イオン交換樹脂部のイオン交換能低下を検知するイオン交換能検出部とを備え、前記イオン交換能検出部により前記イオン交換樹脂部のイオン交換能低下を検知したら前記開閉弁を開いて前記溶液供給部から前記イオン交換樹脂部へ前記溶液を供給するようにしたことを特徴としている。
【００１１】
請求項１の給湯機用脱窒装置にあっては、給湯機で発生したドレン水中の不純物を除去するイオン交換樹脂部を備えているので、給湯機で発生したドレン水に含まれる硝酸性窒素や亜硝酸性窒素等の有害物質を除去してからドレン水を排出することができる。なお、硝酸性窒素や亜硝酸性窒素等を除去するためのイオン交換物質としては、陰イオン交換樹脂、特にＣｌ（塩素）型アニオン交換樹脂やＯＨ型陰イオン交換樹脂が好ましい。
【００１２】
さらに、この給湯機用脱窒装置は、イオン交換樹脂部のイオン交換能を回復させるための溶液を供給する溶液供給部と、溶液供給部からイオン交換樹脂部へ前記溶液を供給するための溶液供給管に設けた開閉弁と、イオン交換樹脂部のイオン交換能低下を検知するイオン交換能検出部とを備えているので、イオン交換能検出部によりイオン交換樹脂部のイオン交換能低下を検知した場合には、開閉弁を開いて溶液供給部からイオン交換樹脂部へ前記溶液を自動的に供給することができ、イオン交換樹脂部のイオン交換能を長い期間にわたって維持することができると共にイオン交換樹脂部に溶液を補給する手間を省くことができる。
【００１３】
さらに、本発明の請求項２の実施態様は、請求項１の給湯機用脱窒装置において、前記イオン交換樹脂部で不純物を除去されたドレン水を中和処理する中和槽を備えている。かかる実施態様によれば、強酸性のドレン水を中和槽で中和処理することができるので、ドレン水をより一層無害化することができる。
【００１４】
さらに、本発明の請求項３の実施態様は、請求項１の給湯機用脱窒装置において、前記イオン交換樹脂部をＯＨ型陰イオン交換樹脂によって構成したことを特徴としている。かかる実施態様によれば、イオン交換樹脂を通過した後の処理済みのドレン水のｐＨが中性に近くなるので、ドレン水を中和処理するための中和槽を不要にしたり、容量の小さな中和槽を用いたりすることができる。
【００１５】
本発明にかかる請求項４の給湯機は、燃焼ガスの上流側に配置された１次熱交換器と、燃焼ガスの下流側に配置された２次熱交換器と、前記２次熱交換器で発生したドレン水を集めるためのドレン受けと、前記ドレン受けで集められたドレン水中の不純物を除去するイオン交換樹脂部と、前記イオン交換樹脂部のイオン交換能を回復させるための溶液を供給する溶液供給部と、前記溶液供給部から前記イオン交換樹脂部へ前記溶液を供給するための溶液供給管に設けた開閉弁と、前記イオン交換樹脂部のイオン交換能低下を検知するイオン交換能検出部とを備え、前記イオン交換能検出部により前記イオン交換樹脂部のイオン交換能低下を検知したら前記開閉弁を開いて前記溶液供給部から前記イオン交換樹脂部へ前記溶液を供給するようにしたことを特徴としている。
【００１６】
請求項４の給湯機にあっては、給湯機で発生したドレン水から不純物を除去するイオン交換樹脂部を備えているので、給湯機で発生したドレン水に含まれる硝酸性窒素や亜硝酸性窒素等の有害物質を除去することができ、ドレン水を安全に排出することができる。なお、この給湯機においても、硝酸性窒素や亜硝酸性窒素等を除去するためのイオン交換物質としては、陰イオン交換樹脂、特にＣｌ（塩素）型アニオン交換樹脂やＯＨ型陰イオン交換樹脂が好ましい。
【００１７】
さらに、この給湯機は、イオン交換樹脂部のイオン交換能を回復させるための溶液を供給する溶液供給部と、溶液供給部からイオン交換樹脂部へ前記溶液を供給するための溶液供給管に設けた開閉弁と、イオン交換樹脂部のイオン交換能低下を検知するイオン交換能検出部とを備えているので、イオン交換能検出部によりイオン交換樹脂部のイオン交換能低下を検知した場合には、開閉弁を開いて溶液供給部からイオン交換樹脂部へ前記溶液を自動的に供給することができ、イオン交換樹脂部のイオン交換能を長期間にわたって維持させることができると共にイオン交換樹脂部に溶液を補給する手間を省くことができる。
【００１８】
請求項５の実施態様は、請求項４の給湯機において、処理済のドレン水を浴槽内へ排出するための配管路を備えたことを特徴としている。かかる実施態様によれば、処理済のドレン水を浴槽へ排出することができるので、処理済のドレン水を下水などに排水するための配管工事が不要となり、給湯機設置時の施工手間と施工コストを低減させることができる。
【発明を実施するための最良の形態】
【００１９】
以下、図面を参照しながら本発明の実施形態について詳細に説明する。
【００２０】
図１は、本発明にかかる風呂用途の給湯機（以下、風呂給湯機という。）１０の構造を示す概略図である。風呂給湯機１０の缶体１１内には、給湯機用脱窒装置１２と給湯部１３と追焚加熱部１４とが設けられている。図示しないが、給湯部１３及び追焚加熱部１４の下方には燃焼用空気を供給するための給気用ファンが設けられ、缶体１１の上面には排気口が開口されている。
【００２１】
給湯部１３は、給湯用バーナ１５と１次熱交換器１６（主熱交換器）及び２次熱交換器１７（補助熱交換器）からなり、給湯端末に給湯を行なう場合には給湯用バーナ１５でガスを燃焼させ、２次熱交換器１７及び１次熱交換器１６を流れる水を加熱する。１次熱交換器１６は、給湯用バーナ１５で燃焼する燃焼ガスの流路の上流側（下方）に位置し、２次熱交換器１７は燃焼ガスの流路の下流側（上方）に位置している。
【００２２】
しかして、給気用ファンにより空気を送りながら給湯用バーナ１５でガスを燃焼させると、燃焼ガスが上昇して１次熱交換器１６を通過し、１次熱交換器１６を流れる水と熱交換する。ここでの熱交換は燃焼ガスの顕熱との熱交換であり、燃焼ガスは水を加熱する一方で、燃焼ガス自身の温度が下がる。
【００２３】
１次熱交換器１６を通過した燃焼ガスは、さらに２次熱交換器１７を通過し、２次熱交換器１７を流れる水と熱交換する。２次熱交換器１７を通過する燃焼ガスは、１次熱交換器１６を通過する際に温度が下がっているので、２次熱交換器１７においては燃焼ガスの潜熱との間で熱交換が行なわれる。そして、燃焼ガスは２次熱交換器１７を流れる水を加熱する一方で、燃焼ガス自身の温度はさらに下がり、温度の下がった燃焼ガスは排気口から外部へ排出される。
【００２４】
市水道等につながった入水管５１は２次熱交換器１７に接続され、２次熱交換器１７と１次熱交換器１６とは接続管５２によって接続され、浴室のカランやシャワー等の給湯端末５３につながった出湯管５４は１次熱交換器１６に接続されている。その結果、入水管５１、２次熱交換器１７、接続管５２、１次熱交換器１６及び出湯管５４が直列につながって主給湯路を構成している。
【００２５】
したがって、給湯端末５３を開栓すると入水管５１から水が供給され、水の流れを検知して給湯用バーナ１５を燃焼させると、出湯管５４には２次熱交換器１７で加熱され、さらに１次熱交換器１６で加熱された湯が供給され、この湯が給湯端末５３から出湯される。
【００２６】
浴槽５５のバスアダプター５６には追焚往き管５７と追焚戻り管５８が接続されていて、追焚往き管５７と追焚戻り管５８によって追い焚き回路が構成されている。追焚加熱部１４は、追焚用熱交換器５９と、追焚用熱交換器５９の下方に配置された追焚用バーナ６０によって構成されている。追焚往き管５７と追焚戻り管５８のバスアダプター５６と反対側の端は追焚用熱交換器５９に接続されている。しかして、追焚戻り管５８に設けられた循環ポンプ６１を運転して追い焚き回路で浴槽５５内の湯を循環させると、浴槽５５内の湯は追い焚き回路を循環して追焚用熱交換器５９で加熱され、浴槽５５内の湯温が上昇させられる。
【００２７】
また、出湯管５４の途中には三方弁６２が設けられており、当該三方弁６２と追い焚き回路の追焚往き管５７とは落し込み配管６３によって結ばれている。よって、三方弁６２を給湯端末５３側で閉じ、給湯部１３側と落し込み配管６３側とが連通するように切り換えると、給湯部１３で加熱された湯が出湯管５４から落し込み配管６３へ流れ込み、落し込み配管６３に流れた湯は追焚往き管５７を通過してバスアダプター５６から浴槽５５内へ落とし込まれ、お湯張りが行なわれる。
【００２８】
風呂給湯機１０は、マイコンやメモリ、電子回路等によって構成されたコントローラ２４によって動作制御される。特に、コントローラは、図外の各種センサの値を監視しながら、給湯時には給湯用バーナ１５を燃焼制御し、追い焚き時には循環ポンプ６１や追焚用バーナ６０を制御している。また、屋外に設置された風呂給湯機１０を屋内側から操作できるようにするため、コントローラ２４にはリモコン２９が接続されている。リモコン２９には、運転スイッチや追い焚きスイッチ、表示部２８などが設けられている。
【００２９】
上記のような高熱効率の風呂給湯機１０においは、燃焼ガスの一部は潜熱を放出することによって２次熱交換器１７で凝縮するので、２次熱交換器１７の表面には凝縮した燃焼ガスによる強酸性のドレン水が付着する。２次熱交換器１７に付着したドレン水は、２次熱交換器１７から下に落ちるので、１次熱交換器１６と２次熱交換器１７との間には２次熱交換器１７から落ちるドレン水を受けるためのドレン受け１８が設けられている。
【００３０】
ドレン受け１８は傾斜しているので、ドレン受け１８の上に落ちたドレン水はドレン受け１８の上面を流れて片側に集められる。ドレン受け１８の片側に集められたドレン水はドレン水排出管１９へ排出され、ドレン水排出管１９を通ってイオン交換樹脂部２０へ送られる。
【００３１】
イオン交換樹脂部２０は、ドレン水を通過させることのできる容器に硝酸性窒素除去用の陰イオン交換樹脂を充填したものである。例えば、硝酸性窒素等を除去するための陰イオン樹脂としては、Ｃｌ（塩素）型アニオン交換樹脂やＯＨ型陰イオン交換樹脂が好ましい。このようなイオン交換樹脂部２０を用いれば、イオン交換樹脂部２０を通過するドレン水に含まれる硝酸性窒素や亜硝酸性窒素等の有害物質（イオン）を吸着除去することができる。イオン交換樹脂部２０で硝酸性窒素等を除去されたドレン水は、ドレン水排出管２１により中和槽２２へ送られる。
【００３２】
中和槽２２は内部に炭酸カルシウム等の中和剤やフィルタなどを有しており、中和槽２２を通過するドレン水のｐＨがほぼ中性となるようにドレン水を中和処理する。
【００３３】
中和槽２２の排出口はドレン排出管３０によって追焚往き管５７の適宜箇所に接続されている。よって、イオン交換樹脂部２０で硝酸性窒素等を除去され中和槽２２で中和された処理済のドレン水は追焚往き管５７へ排出され、浴槽水の追い焚き時などに追焚往き管５７から浴槽５５内へ排出される。
【００３４】
このように、処理済のドレン水を浴槽５５内に排出することにより、ドレン水を下水などに排出するためのドレン排水管を風呂給湯機１０から下水まで配管する必要が無くなるので、風呂給湯機１０の設置時の配管工事を簡略にすることができる。しかも、浴槽５５に排出されるドレン水は、イオン交換樹脂部２０によって硝酸性窒素等の有害物質を除去され、中和槽２２でほぼ中性となるように中和されているので、人体（入浴者）や環境に与える影響もほぼ問題のないレベルまで低減させることができる。
【００３５】
次に、イオン交換樹脂の再生について説明する。イオン交換樹脂は使用によって次第にイオン交換能が低下するので、イオン交換樹脂部２０にはイオン交換樹脂のイオン交換能低下を検出するためのイオン交換能検出部２３を設けている。イオン交換能検出部２３としては、例えば２つの電極をイオン交換樹脂部２０の内部に設置しておき、電極間におけるドレン水の電気伝導度を監視し、電気伝導度が所定値（閾値）以上になった場合には、コントローラ２４内に構成された判定機能によってイオン交換樹脂の再生が必要であると判断させるようにしたものである。イオン交換樹脂の再生時期はイオン交換樹脂の脱窒能力により決めればよく、例えば処理後のドレン水の硝酸性窒素濃度を、水道水質基準である１０ｐｐｍ以下まで脱窒できなくなる時のドレン水の電気伝導度を閾値とすればよい。
【００３６】
イオン交換樹脂部２０の近傍には塩化物溶液供給部２５が設けられており、塩化物溶液供給部２５にはイオン交換樹脂部２０内のイオン交換樹脂を再生してイオン交換能を回復させるための塩化物溶液が溜められている。塩化物溶液供給部２５とイオン交換樹脂部２０とは溶液供給管２６によって接続されており、溶液供給管２６には開閉弁２７が設けられている。
【００３７】
コントローラ２４は、イオン交換能検出部２３の検出値を読み込んでイオン交換樹脂のイオン交換能を監視しており、イオン交換樹脂の再生が必要となった場合には、図２に示すフロー図に従って、リモコン２９の表示部２８に警告を表示すると共に、開閉弁２７を開いて塩化物溶液供給部２５からイオン交換樹脂部２０に塩化物を供給する。
【００３８】
すなわち、イオン交換能の監視を開始すると（ステップＳ１）、イオン交換能検出部２３によって処理後のドレン水の電気伝導率を測定する（ステップＳ２）。イオン交換能検出部２３で処理後のドレン水の電気伝導率を測定すると、この電気伝導率の測定値を所定値（閾値）と比較する（ステップＳ３）。そして、測定した電気伝導率が所定値より小さければ、そのままイオン交換能の監視を終了する（ステップＳ６）。
【００３９】
また、ステップＳ３において、測定した電気伝導率が所定値以上であった場合には、イオン交換樹脂のイオン交換能が低下したと判断し、コントローラ２４はリモコン２９の表示部２８に「イオン交換樹脂再生警告表示」を行い（ステップＳ４）、ついで開閉弁２７を開いて（ステップＳ５）自動的に塩化物溶液供給部２５からイオン交換樹脂部２０に塩化物溶液を供給し、イオン交換樹脂部２０内のイオン交換樹脂を再生させる。この後、イオン交換能の監視を終了する（ステップＳ６）。
【００４０】
図２に示したイオン交換樹脂のイオン交換能の監視は、図２の動作を繰り返して常に実行されていてもよいが、一定時間毎に実行されるようにしてもよい。
【００４１】
また、塩化物溶液供給部２５内の塩化物溶液が少なくなった場合には、リモコン２９の表示部２８にその旨を表示したり、ブザーを鳴らしたりして警告し、使用者に塩化物溶液の補給を促す。なお、塩化物溶液供給部２５は、風呂給湯機１０とは別部品として、風呂給湯機１０（缶体１１）の外部に設置するようにしてもよい。塩化物溶液供給部２５を外部に設置することにより塩化物溶液の補給が容易になる。
【００４２】
ここで、実施例を示す。図３はＣｌ型アニオン交換樹脂にドレン水を流した時の通水量（リットル）と、イオン交換樹脂部２０を通過した後の処理後のドレン水に含まれる無機性窒素の含有量（ｍｇＮ／リットル）との関係を示す図である。この測定には、Ｃｌ型アニオン交換樹脂として「アンバーライトＩＲＡ４００Ｊ（ＣＬ型）」（オルガノ（株）製）５０ｍＬを直径２４ｍｍ、長さ１００ｍｍのカラム内に充填したものを用いた。そして、このイオン交換樹脂に無機性窒素濃度が１６.２ｍｇＮ／Ｌのドレン水を７０ｍＬ／minの流速で通過させた。
【００４３】
図３から分かるように、Ｃｌ型アニオン交換樹脂を通過した後のドレン水の無機性窒素濃度は、当初はほぼ０ｍｇＮ／Ｌであるが、通水量が２５リットルに達したあたりから無機性窒素濃度が急激に増大しており、イオン交換樹脂の交換時期となる。一方、Ｃｌ型アニオン交換樹脂を通過した後のドレン水のｐＨはほぼ３弱程度の値に保たれている。
【００４４】
また、イオン交換樹脂としてＯＨ型陰イオン交換樹脂を用いた場合にも、無機性窒素濃度の変化は、Ｃｌ型アニオン交換樹脂と同様な傾向を示すが、ＯＨ型陰イオン交換樹脂を通過したドレン水のｐＨはより中性に近い値となる。例えば、Ｃｌ型アニオン交換樹脂３０ｇにｐＨが２.７のドレン水を１００ｍＬ加えて１分間撹拌した後、これを静置してｐＨを測定したところ、ドレン水のｐＨは、２.７であった。これに対し、ＯＨ型陰イオン交換樹脂３０ｇにｐＨが２.７のドレン水を１００ｍＬ加えて１分間撹拌した後、これを静置してｐＨを測定したところ、ドレン水のｐＨは、８.１となった。
【００４５】
このようにイオン交換樹脂としてＯＨ型陰イオン交換樹脂を用いると、処理後のドレン水のｐＨが中性に近くなるので、イオン交換樹脂部２０でＯＨ型陰イオン交換樹脂を用いた場合には、中和槽２２を不要にしたり、容量の小さな中和槽２２を用いたりすることが可能になる。
【図面の簡単な説明】
【００４６】
【図１】図１は、本発明にかかる風呂給湯機の構成を示す概略図である。
【図２】図２は、イオン交換樹脂部にイオン交換樹脂を回復させるための溶液を自動的に供給させるための動作を表わしたフロー図である。
【図３】図３は、Ｃｌ型アニオン交換樹脂にドレン水を流した時の通水量（リットル）と、イオン交換樹脂部を通過した後の処理済のドレン水に含まれる無機性窒素の含有量（ｍｇＮ／リットル）との関係を示す図である。
【符号の説明】
【００４７】
１０      風呂給湯機
１２      給湯機用脱窒装置
１５      給湯用バーナ
１６      １次熱交換器
１７      ２次熱交換器
１８      ドレン受け
１９      ドレン水排出管
２０      イオン交換樹脂部
２１      ドレン水排出管
２２      中和槽
２３      イオン交換能検出部
２４      コントローラ
２５      塩化物溶液供給部
２６      溶液供給管
２７      開閉弁
２８      表示部
２９      リモコン
３０      ドレン排出管
【図１】
2008121981.tif 000003
【図２】
2008121981.tif 000004
【図３】
2008121981.tif 000005